(57)【要約】【課題】カールが生じた用紙に対して垂直方向から一括して後処理を行うことができ、カール解消後の使用感が悪くならない用紙後処理装置を提供する。【解決手段】本体部２６は、図４に示すように、用紙の表裏面を挟む対向面２６１Ａ，２６１Ｂと、用紙の先端を当接させる当接面２６２と、用紙を挿入する開口面２６３とからなる凹部と、後処理を行う後処理部２６０を有する。後処理部２６０は、対向面２６１Ａから対向面２６１Ｂへ向かってステープラの針やパンチの刃を垂直に降ろして後処理を行う。本体部２６は、変位手段２７により変位自在に支持されている。変位手段２７は、操作部２８２が回動操作を受け付けると、処理トレイ２４の積載面に対して対向面２６１Ａ，２６１Ｂが平行になる平行姿勢、当接面２６２から開口面２６３に向かって斜め上方向に傾斜する上傾斜姿勢、及び斜め下方向に傾斜する下傾斜姿勢の何れかに本体部２６の姿勢を変位させる。【選択図】  図５
2012126483.tif 000002
【特許請求の範囲】
【請求項１】
搬送された複数の用紙が積載されるトレイと、
前記トレイの下流側に配置され、用紙の表裏面の垂直方向から用紙に後処理を行う装置本体であって、前記用紙を挿入する開口面、前記用紙の表裏面を挟む対向面及び前記用紙の先端が当接する当接面からなる凹部と、前記対向面に挟まれた用紙に対して前記対向面の一方から他方に向かって後処理を行う後処理部と、を有する装置本体と、
前記トレイに積載される複数の用紙の先端と前記装置本体の当接面とを当接させる当接手段と、
前記装置本体に駆動力を伝達して前記装置本体の姿勢を変位させる変位手段であって、用紙が積載される面である前記トレイの積載面に対して、前記装置本体の当接面が所定の範囲内で傾斜するように前記装置本体の姿勢を変位させる変位手段と、を備える用紙後処理装置。
【請求項２】
前記変位手段は、前記装置本体の開口面側に回動軸を設け、前記用紙の搬送方向と直交する方向のうち前記トレイの積載面と平行な方向に前記回動軸を一致させて、前記装置本体の姿勢を変位させる請求項１に記載の用紙後処理装置。
【請求項３】
前記変位手段は、前記装置本体の回動軸と、前記トレイの積載面と直交する方向に前記装置本体を移動させるカム及び付勢手段との組合せで構成される請求項２に記載の用紙後処理装置。
【請求項４】
前記装置本体の回動軸に平行且つ回動自在な操作棒を更に備え、
前記変位手段は、前記操作棒の回動量に応じて前記カムを回動させる請求項３に記載の用紙後処理装置。
【請求項５】
前記トレイの下流側の端部と前記下流側の端部から所定距離離れた位置とに少なくとも配置され、１枚目の用紙の先端が前記下流側の端部に一致した時に、前記トレイの積載面からの前記１枚目の用紙の高さを検出する複数の検出手段と、
前記複数の検出手段が検出した前記用紙の高さに基づいて、前記用紙のカールの向きを判断する制御手段と、を更に備え、
前記制御手段は、前記用紙のカールの向きに応じて、前記装置本体の姿勢を前記変位手段に変位させる請求項１〜３の何れかに記載の用紙後処理装置。
【発明の詳細な説明】
【技術分野】
【０００１】
この発明は、例えば画像形成装置の用紙後処理装置として適用され、例えば、ステープラによる針留めやパンチによる穴開け等のように、複数の用紙に対して用紙の垂直方向から一括して後処理を行う用紙後処理装置に関する。
【背景技術】
【０００２】
用紙後処理装置は、画像形成装置の用紙後処理装置として適用されている。用紙後処理装置は、画像形成処理後の用紙をソートするソート処理や、画像形成後の用紙に対して、垂直方向から処理を行う後処理を行う。例えば、後処理には、ステープラを用いた用紙への針留めや、パンチを用いた用紙への穴開け等である。用紙後処理装置は、複数の用紙に対して一括で後処理を行う前に、各用紙の先端を揃えておく必要がある。しかし、用紙後処理装置は、画像形成装置の定着ユニットを通過する時の熱及び加圧による定着処理により用紙にカールが生じていることがあるため、用紙の先端を揃える時間が短いとカールが生じた用紙の先端を揃えることができない。
【０００３】
特許文献１に記載の用紙後処理装置では、カール高さセンサを用いて用紙に生じたカールを検出する。そして、用紙後処理装置では、用紙に生じたカールの方向と高さとに応じて、用紙の先端を揃える時間を変化させている。例えば、用紙後処理装置は、搬送方向にカールが生じ、搬送方向に直交する方向にカールが生じていない複数の用紙を纏める際には、搬送方向に揃える時間を長くして、搬送方向に直交する方向に揃える時間を短くすることで、用紙の先端を効率的に揃えている。
【先行技術文献】
【特許文献】
【０００４】
【特許文献１】特開２００８−２６５９５９号公報
【発明の概要】
【発明が解決しようとする課題】
【０００５】
しかしながら、特許文献１に記載の用紙後処理装置は、カールした用紙の先端を揃えた後に、カールした箇所に後処理を行っているため、カール解消後に、用紙にズレが生じ、使用感が悪くなってしまう。例えば、ステープラによる針留めを行った場合には、用紙と針のとの間に隙間が生じ、その隙間が手に引っ掛かる。パンチによる穴開けの場合には、パンチ穴がずれ、ファイリングがしにくくなる。
【０００６】
そこで、この発明は、カールが生じた用紙に後処理を行っても、カール解消後の使用感が悪くならない用紙後処理装置を提供することを目的とする。
【課題を解決するための手段】
【０００７】
この発明の用紙後処理装置は、トレイと、装置本体と、当接手段と、変位手段とを備える。トレイは、搬送された複数の用紙が積載される。装置本体は、トレイの下流側に配置され、用紙の表裏面の垂直方向から用紙に後処理を行う。装置本体は、用紙を挿入する開口面、用紙の表裏面を挟む対向面及び用紙の先端が当接する当接面からなる凹部と、対向面に挟まれた用紙に対して対向面の一方から他方に向かって後処理を行う後処理部と、を有する。当接手段は、トレイに積載される複数の用紙の先端と装置本体の当接面とを当接させる。変位手段は、装置本体に駆動力を伝達して装置本体の姿勢を変位させる。変位手段は、用紙が積載される面であるトレイの積載面に対して、装置本体の当接面が所定の範囲内で傾斜するように装置本体の姿勢を変位させる。
【０００８】
この構成では、装置本体は、用紙の挿入口である開口面、挿入された用紙を挟む対向面、及び挿入された用紙が当接する当接面とからなる凹部と、用紙の表裏面に対して垂直方向に後処理を行う後処理部とを有する。後処理とは、例えば、ステープラによる針留めやパンチによる穴開け等である。装置本体の姿勢は、変位手段により変位され、上流側に配置されたトレイの積載面に対して装置本体の対向面が所定の範囲内で傾斜する。
【０００９】
変位手段は、装置本体の開口面側に回動軸を設け、用紙の搬送方向と直交する方向のうちトレイの積載面と平行な方向に回動軸を一致させて、装置本体の姿勢を変位させる構成であることが好ましい。
【００１０】
この構成では、変位手段は、装置本体の開口面側に回動軸を設ける。この回動軸は、用紙の搬送方向と直交する方向のうち、トレイの積載面と平行な方向を軸方向とする。すなわち、変位手段は、用紙を縦方向に搬送する場合には、用紙の横方向を回動軸として、装置本体の姿勢を変位させ、用紙を横方向に搬送する場合には、用紙の縦方向を回動軸として、装置本体の姿勢を変位させる。
【００１１】
これにより、用紙搬送装置は、用紙の搬送方向における用紙の先端側に生じたカールの向きと装置本体の対向面が平行に傾斜するように装置本体の姿勢を変位させることができる。用紙搬送装置は、用紙の搬送方向における用紙の先端に後処理を行うため、カール解消後も用紙にズレが生じない。
【００１２】
変位手段は、装置本体の回動軸と、トレイの積載面と直交する方向に装置本体を移動させるカム及び付勢手段との組合せで構成されることが好ましい。
【００１３】
この構成では、変位手段は、カムと例えば引張バネのような付勢手段とを用いて装置本体の姿勢を変位させる。
【００１４】
これにより、用紙搬送装置は、簡素な構成で装置本体の姿勢を変位させることができる。
【００１５】
装置本体の回動軸に平行且つ回動自在な操作棒を更に備える構成であることが好ましい。この場合、変位手段は、操作棒の回動量に応じてカムを回動させる。
【００１６】
この構成では、変位手段は、回動操作を受け付ける操作棒の回動に伴ってカムを回動させる。
【００１７】
これにより、用紙搬送装置は、ユーザが操作棒を操作することで、装置本体の姿勢を容易に変位させることができる。
【００１８】
複数の検出手段と制御手段とを更に備える構成であることが好ましい。この場合、複数の検出手段は、トレイの下流側の端部と下流側の端部から所定距離離れた位置とに配置され、１枚目の用紙の先端が下流側の端部に一致した時に、トレイの積載面からの１枚目の用紙の高さを検出する。制御手段は、複数の検出手段が検出した用紙の高さに基づいて、用紙のカールの向きを判断する。制御手段は、用紙のカールの向きに応じて、装置本体の姿勢を変位手段に変位させる。
【００１９】
この構成では、複数の検出手段は、トレイの下流側の端部と、トレイの下流側の端部から所定距離離れた位置とに少なくとも配置される。具体的には、トレイの下流側の端部から所定距離離れた位置に配置される検出手段は、用紙の先頭側の余白部分に後処理が行われるため、用紙の先頭側の余白部分の高さを検出可能な位置に配置される。また、制御手段は、用紙の材質や搬送方向によってカールの向きが一意に決まるため、複数の検出手段が検出した１枚目の用紙の高さに基づいて用紙のカールの向きを判断して、判断結果に基づいて装置本体の姿勢を変位させる。
【００２０】
これにより、用紙後処理装置は、用紙のカールの向きを自動で検出して、装置本体の姿勢を自動で変位させることができる。このため、用紙後処理装置は、用紙を変更しても、用紙の材質や搬送方向を気にせずに、複数の用紙に対して一括で後処理を行うことができる。
【発明の効果】
【００２１】
この発明の用紙後処理装置は、カールが生じた用紙に対して垂直方向から一括して後処理を行うことができ、カール解消後の使用感が悪くならない。
【図面の簡単な説明】
【００２２】
【図１】本発明の実施形態に係る後処理装置が適用される画像形成装置の概略図である。
【図２】後処理装置の概略構成を示す図である。
【図３】導入搬送部、処理トレイ、本体部、及び排紙トレイの構成を示す図である。
【図４】本体部を変位自在とする変位手段の簡略図である。
【図５】本体部、変位手段、操作部の簡略図である。
【図６】実施例２に係る導入搬送部、処理トレイ、本体部、及び排紙トレイの構成を示す図である。
【図７】用紙に生じるカールの向きの検出方法の説明図である。
【図８】後処理装置の用紙搬送処理の流れを示す図である。
【図９】後処理装置の用紙搬送処理の流れの続きを示す図である。
【発明を実施するための形態】
【実施例１】
【００２３】
この発明に係る後処理装置を備えた画像形成装置について図を参照して説明する。図１に示すように、画像形成装置１００は、原稿の画像を読み取って画像データを生成する画像読取部１２、用紙に対して画像形成処理を実行する画像形成部１４、画像形成部１４に対して順次的に用紙を供給する給紙部１８、画像形成部１４で画像形成処理が施された用紙に対して後処理を実行する後処理装置２０、及びこれら機能部を制御する制御部１０１を備えている。
【００２４】
画像読取部１２は、原稿台１２６上の原稿の画像を読み取るように構成された光学系ユニット１２８、及び原稿載置台１２２上の原稿を原稿台１２６の原稿読取位置に順次的に搬送する自動原稿搬送ユニット１２４を備える。
【００２５】
画像形成部１４は、用紙搬送路１８６に接するように配置された像担持体としての感光体ドラム１４２を備える。感光体ドラム１４２の周囲には、露光装置１４４、現像装置１４６、転写装置１４８、及びクリーニング装置１５０が配置される。露光装置１４４は、感光体ドラム１４２を露光することによって感光体ドラム１４２上に静電潜像を形成する。現像装置１４６は、感光体ドラム１４２に現像剤を供給することによって、感光体ドラム１４２上の静電潜像を現像する。転写装置１４８は、感光体ドラム１４２上の現像剤像を用紙に転写する。クリーニング装置１５０は、感光体ドラム１４２上に残留した現像剤等を回収する。
【００２６】
画像形成部１４は更に、用紙搬送路１８６における感光体ドラム１４２の下流に定着部１５２を備える。定着部１５２は、用紙に転写された現像剤像を熱と圧力とによって用紙に定着する。用紙搬送路１８６における定着部１５２の下流には、画像形成処理された用紙を後処理装置２０に導入する導入ローラ１５４が設けられる。
【００２７】
給紙部１８は、用紙を収容する用紙収容カセット１８２を複数備える。各用紙収容カセット１８２には、用紙を１枚ずつ用紙搬送路１８６に送り出す送り出し機構が設けられる。給紙部１８は更に、用紙を画像形成部１４に供給するタイミングを調整するための１対のレジストローラ１８４を備える。
【００２８】
後処理装置２０は、図２に示すように、導入搬送部２２、処理トレイ２４、本体部（この発明の装置本体に相当する。）２６、及び排紙トレイ２８を備える。導入搬送部２２は、用紙搬送路１８６に接続され、導入ローラ１５４によって後処理装置２０内に導入された用紙を処理トレイ２４まで導入する。処理トレイ２４は、本体部２６によって処理されるべき用紙の束を一時的に収容する。本体部２６は、処理トレイ２４上に載置された用紙にステープラによる針留め処理や、パンチによる穴開け処理を行う。排紙トレイ２８は、本体部２６によって後処理された後に排出される用紙を収容する。
【００２９】
導入搬送部２２には、図３に示すように、画像形成部１４から送られた用紙を水平方向に搬送する導入搬送路２２２が形成される。この導入搬送路２２２に沿って搬送ローラ２２４，３４が配置される。導入搬送路２２２における搬送ローラ２２４の下流には、搬送される用紙の先端及び後端を検出する用紙センサ２２６が設けられる。搬送ローラ３４は、導入搬送路２２２を通過した後処理されるべき用紙を処理トレイ２４に排出する。
【００３０】
導入搬送路２２２における搬送ローラ３４の下流には、上側排紙ローラ２２９及び下側排紙ローラ２４４が設けられる。上側排紙ローラ２２９は、正逆転可能であり、下側排紙ローラ２４４と離間する離間位置と下側排紙ローラ２４４に当接する当接位置との間を移動可能に支持されている。
【００３１】
搬送ローラ３４には、この搬送ローラ３４の回転軸３８を中心に揺動可能な支持アーム３２が接続される。支持アーム３２の先端にはプーリ３０が軸支される。支持アーム３２及びプーリ３０には、プーリ３０側の先端に搬送部材３１を備えたベルトが架けられている。搬送部材３１は、処理トレイ２４上の用紙を、本体部２６の当接面２６２に当接するまで搬送する。具体的には、搬送部材３１は、処理トレイ２４に導入された用紙の先端が当接面２６２に当接するまで、用紙に対して搬送力を伝達する。
【００３２】
処理トレイ２４は、排出方向に向かって上方に傾斜する。処理トレイ２４に排出された用紙は自重及び搬送部材３１の駆動力により、処理トレイ２４の下端側へ案内される。処理トレイ２４上における用紙の搬送手法はこれに限定されるものではなく、他の搬送ローラを更に設けて他の搬送ローラと搬送部材３１との共同作業によって用紙を整合位置に案内するようにしても良い。
【００３３】
本体部２６は、図４に示すように、用紙の表裏面を挟む対向面２６１Ａ，２６１Ｂと、用紙の先端を当接させる当接面２６２と、用紙を挿入する開口面２６３とからなる凹部と、後処理を行う後処理部２６０を有する。後処理部２６０は、対向面２６１Ａから対向面２６１Ｂへ向かってステープラの針やパンチの刃を垂直に降ろし、対向面２６１Ａ，２６１Ｂの間に挟まれた用紙に対して一括して後処理を行う。
【００３４】
また、本体部２６は、変位手段２７により変位自在に支持されている。変位手段２７は、支軸２７１、カム２７２、引張バネ２７３から構成される。支軸２７１は、フレーム２０１，２０２の間に架けられ、用紙の搬送方向に直交し且つ処理トレイ２４の積載面に平行な方向を軸方向としている（図５（Ａ）参照。）。支軸２７１は、回動軸として本体部２６を支持し、軸方向に本体部２６を移動可能にしている。
【００３５】
カム２７２は、自身の回動により、本体部２６の姿勢を変位させる。この時、引張バネ２７３は、本体部２６がカム２７２から離間することを防いでいる。
【００３６】
図５（Ａ）に示すように、操作軸２８１は、支軸２７１の軸方向と平行となるように、フレーム２０１，２０２を貫通している。操作軸２８１は、軸方向における本体部２６が移動可能な領域の周囲にカム２７２が設けられている。操作軸２８１は、自身の回動により、カム２７２を回動させる。
【００３７】
また、図５（Ｂ）に示すように、操作軸２８１には、操作部２８２がフレーム２０１の外側に設けられている。操作部２８２は、操作軸２８１を回動操作するつまみである。操作部２８２は、突起部２８２Ａを有しており、フレーム２０１に形成された３つの穴の何れかに嵌め入れることで、操作軸２８１の回動量を調整している。操作部２８２は、回動操作を受け付けて、操作軸２８１、カム２７２を回動させて、本体部２６の姿勢を水平姿勢、上傾斜姿勢、及び下傾斜姿勢の何れかに変位させる。
【００３８】
本体部２６は、図４（Ｂ）に示す平行姿勢では、用紙が積載される処理トレイ２４の積載面に対して対向面２６１Ａ，２６１Ｂが平行になる。本体部２６は、図４（Ａ）に示す上傾斜姿勢では、処理トレイ２４の積載面に対して当接面２６２から開口面２６３に向かって斜め上方向に対向面２６１Ａ，２６１Ｂが傾斜する。本体部２６は、図４（Ｃ）に示す下傾斜姿勢では、処理トレイ２４の積載面に対して当接面２６２から開口面２６３に向かって斜め下方向に対向面２６１Ａ，２６１Ｂが傾斜する。なお、図４（Ａ），図４（Ｃ）には、図４（Ｂ）の本体部２６を派線で示している。
【００３９】
これにより、後処理装置２０は、本体部２６の姿勢を水平姿勢に変位させると、カールが生じていない用紙に対して、垂直方向から後処理を行うことができる。後処理装置２０は、本体部２６の姿勢を上傾斜姿勢に変位させると、下向きカールが生じている用紙に対して、垂直方向から後処理を行うことができる。後処理装置２０は、本体部２６の姿勢を下傾斜姿勢に変位させると、上向きカールが生じている用紙に対して、垂直方向から後処理を行うことができる。
【００４０】
また、用紙のカールは、用紙の材質や搬送方向によって向きが一意に決まる。そこで、予めテスト印刷を行い、用紙のカールの向きを目視で確認しておく。後処理装置２０は、用紙のカールの向きに応じて操作部２８２の回動操作を予め受け付けておくことで、本体部２６の姿勢を変位させておくことができ、複数の用紙に対して垂直方向から一括して後処理を行うことができる。この結果、後処理装置２０は、カールが解消しても、用紙のズレが生じないため使用感が悪くならない。
【実施例２】
【００４１】
実施例２に係る後処理装置２０Ａは、用紙のカールの向きを自動で判断し、本体部２６を自動で変位させる点で、実施例１に係る後処理装置２０と相違する。以下、実施例１との相違点について図を参照して説明する。
【００４２】
後処理装置２０Ａは、図６に示すように、高さセンサ（この発明の検出手段に相当する。）２５Ａ，２５Ｂを備える。高さセンサ２５ａ，２５ｂは、処理トレイ２４の積載面からの用紙の高さを検出する。高さセンサ２５Ａは、処理トレイ２４の下流側の端部に配置され、用紙の先端の高さを測定する。高さセンサ２５Ｂは、高さセンサ２５Ａから用紙の余白の長さだけ離れた位置に配置され、用紙の余白の高さを測定する。なお、高さセンサ２５Ｂは、用紙の先端を除く用紙の余白の高さを測定できればよいため、高さセンサ２５Ａから用紙の余白の長さ未満だけ離れた位置に配置されればよい。
【００４３】
図７（Ａ）に示すように、制御部１０１は、高さセンサ２５Ａの検出した高さが高さセンサ２５Ｂの検出した高さより高ければ、用紙に上カールが生じていると判断する。図７（Ｂ）に示すように、制御部１０１は、高さセンサ２５Ｂの検出した高さが高さセンサ２５Ａの検出した高さより高ければ、用紙に下カールが生じていると判断する。また、制御部１０１は、高さセンサ２５Ｂの検出した高さが高さセンサ２５Ａの検出した高さとの差が誤差の範囲内あれば、用紙にカールが生じていないと判断する。
【００４４】
後処理装置２０Ａは、変位手段２７Ａを備え、操作部２８２を備えない。変位手段２７Ａは、支軸２７１、カム２７２、引張バネ２７３、モータから構成される。変位手段２７Ａは、モータからの駆動力によりカム２７２を回動し、本体部２６の姿勢を変位させている。
【００４５】
次に、後処理装置２０Ａの処理の流れについて図を参照して説明する。
【００４６】
図８（Ａ）に示すように、制御部１０１は、１枚目の用紙が導入ローラ１５４から導入されると、上側排紙ローラ２２９を移動して下側排紙ローラ２４４に当接させる。なお、制御部１０１は、２枚目以降の用紙が導入ローラ１５４から導入された場合は、上側排紙ローラ２２９を移動させない。
【００４７】
図８（Ｂ）に示すように、制御部１０１は、搬送ローラ２２４，３４、上側排紙ローラ２２９、下側排紙ローラ２４４を正回転させて、用紙を導入搬送路２２２上へ導く。制御部１０１は、用紙センサ２２６が用紙の先端を検出してから用紙を所定量搬送すると、上側排紙ローラ２２９を移動して下側排紙ローラ２４４から離間させる。
【００４８】
図８（Ｃ）に示すように、制御部１０１は、用紙センサ２２６が用紙の後端を検出してから用紙を所定量搬送すると、上側排紙ローラ２２９を移動して下側排紙ローラ２４４に当接させる。制御部１０１は、上側排紙ローラ２２９、下側排紙ローラ２４４を逆回転させて、用紙を処理トレイ２４へ搬送する。この時、制御部１０１は、プーリ３０を処理トレイ２４へ当接する位置へ移動させて、搬送部材３１により用紙を本体部２６の当接面２６２に当接するまで搬送する。
【００４９】
制御部１０１は、１枚目の用紙の先端が処理トレイ２４の下流側の端部に位置すると、高さセンサ２５Ａ，２５Ｂにより用紙の高さを検出して、用紙に上カール又は下カールが生じているか否かを判断する。制御部１０１は、最後の用紙が導入ローラ１５４から導入されたタイミングで、判断結果に基づいて本体部２６を変位させる。なお、制御部１０１は、２枚目以降の用紙については、上カール又は下カールが生じているか否かを判断しない。
【００５０】
図９（Ａ）に示すように、制御部１０１は、用紙が本体部２６の当接面２６２に当接すると、上側排紙ローラ２２９を移動して下側排紙ローラ２４４から離間させる。制御部１０１は、処理トレイ２４上に積載された用紙を整合板により整合する。
【００５１】
制御部１０１は、指定枚数分、上述の処理を繰り返し行う。
【００５２】
図９（Ｂ）に示すように、制御部１０１は、指定枚数分の用紙に対して上述の処理が完了すると、指定枚数分の用紙に対して装置本体２６の後処理部２６０に一括して後処理を行わせる。
【００５３】
図９（Ｃ）に示すように、制御部１０１は、プーリ３０を移動して処理トレイ２４から離間させ、上側排紙ローラ２２９を移動して下側排紙ローラ２４４に当接させる。制御部１０１は、上側排紙ローラ２２９、下側排紙ローラ２４４を正回転させて、指定枚数分の用紙を排紙トレイ２８へ排紙する。
【００５４】
以上のように、後処理装置２０Ａは、１枚目の用紙の搬送時に用紙に生じるカールの向きを判断して、本体部２６の姿勢を変位させることで、複数の用紙に対して垂直方向から一括して後処理を行うことができる。後処理装置２０Ａは、用紙を変更しても、用紙の材質や向きを気にせずに、複数の用紙に対して一括で後処理を行うことができる。この結果、後処理装置２０は、カールが解消しても、用紙のズレが生じないため使用感が悪くならない。
【００５５】
なお、上述の実施例では、本体部２６を支軸２７１の軸方向に移動可能としたが、所定の位置に停止したままでもよい。この場合、操作軸２８１は、本体部２６が停止する位置に対応する箇所にのみ、カム２７２を設ければよい。
【００５６】
なお、上述の実施例では、後処理装置２０、２０Ａは、用紙のカールの向きに応じて、本体部２６の姿勢を水平姿勢、上傾斜姿勢、及び下傾斜姿勢の何れかに変位させた。しかし、本体部２６の姿勢は、上述の３つの姿勢に限らない。後処理装置２０Ａは、高さ検出センサ２５Ａ，２５Ｂがそれぞれ検出した用紙の高さの差に応じて、本体部２６の姿勢を変位させてもよい。この場合、後処理装置２０Ａは、用紙の高さの差が大きいほど、本体部２６の姿勢をより傾斜させればよい。
【００５７】
なお、上述の実施例では、用紙の搬送方向における用紙の先端に生じるカールの向きに応じて後処理を行った。しかし、用紙の側面に生じるカールの向きを考慮して後処理を行ってもよい。この場合、後処理装置２０は、用紙の搬送方向に直交する方向と用紙の搬送方向とを支軸として、本体部２６の姿勢を変位させればよい。
【００５８】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内でのすべての変更が含まれることが意図される。
【符号の説明】
【００５９】
２０，２０Ａ…後処理装置
２４…処理トレイ
２６…本体部
２６０…後処理部
２６１Ａ，２６１Ｂ…対向面
２６２…当接面
２６３…開口面
３０…プーリ
３１…搬送部材
３２…支持アーム
３４…搬送ローラ
３８…回転軸
２７，２７Ａ…変位手段
２７１…支軸
２７２…カム
２７３…引張バネ
２８１…操作軸
２８２…操作部
２８２Ａ…突起部
２５Ａ，２５Ｂ…高さセンサ
１０１…制御部
【図１】
2012126483.tif 000003
【図２】
2012126483.tif 000004
【図３】
2012126483.tif 000005
【図４】
2012126483.tif 000006
【図５】
2012126483.tif 000007
【図６】
2012126483.tif 000008
【図７】
2012126483.tif 000009
【図８】
2012126483.tif 000010
【図９】
2012126483.tif 000011